(57)【要約】【課題】  ディスクが２枚重ねられた状態での誤挿入の防止と、円滑な挿入による操作性の向上とを両立した挿入口構造を有するディスク装置を提供する。【解決手段】  パネル１の内方に設けられたガイド部１０を構成する上ガイド面１２および下ガイド面１３に、第１の傾斜面１４ａ、１４ｂおよび第２の傾斜面１５ａ、１５ｂを設け、２つの傾斜面の接点となる凸状の頂部１６と頂部１７を、ディスク３０を２枚重ねた厚み寸法よりも狭い間隔に設定し、且つディスク３０により押し曲げられた払拭シート２０によって覆われる位置に設けることにより、ディスク３０が２枚重ねられた状態での誤挿入の防止と、ディスク３０の周縁部３１が頂部１６、１７に直接に当接することによる引っ掛かりが生じない円滑な挿入とを両立することができる。【選択図】図２
2006338713.tif 000002
【特許請求の範囲】
【請求項１】
ディスクの挿入口が開口されたパネルの裏面に設置され、挿入された前記ディスクの上下面をガイドするガイド部と、該ガイド部に隣接して、前記挿入口を覆う払拭シートが装着されたディスク装置において、
前記ガイド部は、前記ディスクの上面および下面と対向し、前記ディスクの挿入をガイドする上ガイド面と下ガイド面とにより構成され、少なくとも何れか一方のガイド面には、そのパネル側の端部に、前記ディスクの挿入方向に向かい他方のガイド面に近づく方向に傾斜する第１の傾斜面が形成されると共に、パネル面から離れた端部から前記傾斜面に向かって互いに近づく方向に傾斜する第２の傾斜面が形成され、前記両傾斜面の頂部が、挿入されたディスクによって押し倒された払拭シートによって覆われる位置に配置されることを特徴とするディスク装置。
【請求項２】
前記ガイド部が熱可塑性の樹脂からなり、該ガイド部を成形する金型のパーティングラインが、前記頂部に形成されていることを特徴とする請求項１記載のディスク装置。
【請求項３】
前記ガイド部が熱可塑性の樹脂からなり、該ガイド部を成形する金型のパーティングラインが、前記第１の傾斜面上に形成されていることを特徴とする請求項１記載のディスク装置。
【請求項４】
前記頂部が、前記ディスクの挿入方向に対し略平行な平面形状に形成されていることを特徴とする請求項１ないし３記載のディスク装置。
【請求項５】
前記払拭シートは、前記挿入口を上下それぞれの方向から覆う、上部シートおよび下部シートから構成されていることを特徴とする請求項１ないし４記載のディスク装置。
【発明の詳細な説明】
【技術分野】
【０００１】
本発明は、少なくともＣＤやＤＶＤなどのディスクを再生するディスク装置に関し、特にその挿入口に設置されディスクの挿入をガイドするガイド部の形状に関する。
【背景技術】
【０００２】
従来、車載用ディスクプレーヤのフロントノーズ（パネル部）に形成された、ＣＤおよびＤＶＤなどのディスクの挿入口に、該挿入口へのディスクの挿入時または排出時において、該ディスクの表裏面に付着した埃を拭取る払拭シートが装着された挿入口構造を有するディスク装置が提案されている（例えば、特許文献１参照）。この従来の挿入口構造は、図５に示すように構成されている。
【０００３】
図５は、表面にディスク７３の挿入口６１が開口されたパネル６０の裏面部６２と、その裏面部６２にネジ７８などの係止部材によって固定されたガイド部６３との間に払拭シート６６が装着され、パネル６０の内部にディスク駆動装置７７が設置されたディスクの挿入口構造を示している。ガイド部６３には、挿入されたディスク７３を上下（Ｚ１−Ｚ２）方向からガイドするガイド穴６３ａが開口されており、上側にはガイド面６４が、下側にはガイド面６５が形成されている。また、払拭シート６６は挿入口６１を上下（Ｚ１−Ｚ２）方向から覆う上部シート６７と下部シート６８から構成されている。図６に示すように、上部シート６７および下部シート６８は、ディスク７３がＹ２方向に挿入されることにより同方向へ押し曲げられる。そのためディスク７３は、払拭シート６６によって表裏面に付着した埃が拭取られた後、ディスク駆動装置７７に装填される。
【０００４】
ところで、ディスク７３の厚みが薄いことから、誤って２枚重ねた状態で挿入されてしまい、ディスク駆動装置７７が故障する誤挿入問題が発生した。そこで図６に示すようにガイド穴６３ｂを、Ｙ２方向に向かって互いに近づく方向に傾斜する第１の傾斜面８１、８２と、Ｙ１方向に向かって互いに近づく方向に傾斜する第２の傾斜面８３、８４にて形成し、且つそれぞれの傾斜面どうしが接する頂部８５、８６の上下幅Ｂが、ディスク７３を２枚重ねた厚み寸法よりも狭い形状とした。このガイド穴６３ｂによれば、ディスク７３が挿入または排出されるとき、周縁部７４が第１の傾斜面８１、８２あるいは第２の傾斜面８３、８４によりガイドされて上下方向への傾きが補正され、また２枚重ねによる誤挿入を防ぐことができるようになっていた。
【特許文献１】特開平０４−２４５０９４号公報
【発明の開示】
【発明が解決しようとする課題】
【０００５】
ところが、ガイド部６３を合成樹脂にて形成した場合、その金型の構造上、第１の傾斜面８１、８２あるいは第２の傾斜面８３、８４の表面、または頂部８５、８６のいずれかの部位にパーティングラインによる段差が発生し、上下幅Ｂが狭いことも手伝って、その段差に周縁部７４が引っ掛かることにより円滑な挿入、排出の妨げとなっていた。
【０００６】
本発明は、上記従来の課題を解決するものであり、ディスクが２枚重ねられた状態での誤挿入防止と、ディスクが引っ掛かること無く円滑にガイドできる挿入口構造を有するディスク装置を提供することを目的としている。
【課題を解決するための手段】
【０００７】
本発明に係るディスク装置は、ディスクの挿入口が開口されたパネルの裏面に設置され、挿入された前記ディスクの上下面をガイドするガイド部と、該ガイド部に隣接して、前記挿入口を覆う払拭シートが装着されたディスク装置において、前記ガイド部は、前記ディスクの上面および下面と対向し、前記ディスクの挿入をガイドする上ガイド面と下ガイド面とにより構成され、少なくとも何れか一方のガイド面には、そのパネル側の端部に、前記ディスクの挿入方向に向かい他方のガイド面に近づく方向に傾斜する第１の傾斜面が形成されると共に、パネル面から離れた端部から前記傾斜面に向かって互いに近づく方向に傾斜する第２の傾斜面が形成され、前記両傾斜面の頂部が、挿入されたディスクによって押し倒された払拭シートによって覆われる位置に配置されることを特徴としている。
【０００８】
上記構成では、ディスクが挿入されるときには第１の傾斜面によりガイドされ、排出される時には第２の傾斜面によってガイドされることから、ディスクがガイド部を通過するときに、ディスクの周縁部が該ガイド部の両端部に引っ掛かることが無い。また、頂部は、ディスクの厚み寸法を規制する部位であり挿入方向において上下幅が最も狭く形成された凸部であるものの、挿入方向に沿って押し倒された払拭シートにより覆われる構成であることから、挿入されたディスクの周縁部が該頂部の凸部に直接に当接して引っ掛かることが無い構造となっている。
【０００９】
本発明に係るディスク装置は、前記ガイド部が熱可塑性の樹脂からなり、該ガイド部を成形する金型のパーティングラインが、前記頂部に形成されていることが好ましい。あるいは、該ガイド部を成形する金型のパーティングラインが、前記第１の傾斜面上に形成されていてもよい。
【００１０】
上記構成では、該パーティングラインに金型のキャビティ側とコア側との合わせずれによる段差があっても、その段差が払拭シートによって覆われることから、ディスクの周縁部が引っ掛かることはなく円滑に挿入することができる。したがって、パーティングラインの段差を無くすために、金型の合わせ精度を高めたり、２次加工による段差の除去を行う必要がない。
【００１１】
本発明に係るディスク装置は、前記頂部が、前記ディスクの挿入方向に対し略平行な平面形状に形成されていることが好ましい。
【００１２】
上記構成では、第１の傾斜面と第２の傾斜面との頂部の形状が鋭利に尖った凸状ではないことから、該頂部側および金型側の両方の強度を高めることができる。
【００１３】
また、本発明に係るディスク装置では、前記払拭シートは、前記挿入口を上下それぞれの方向から覆う、上部シートおよび下部シートから構成されていることが好ましい。
【００１４】
上記構成では、１枚の部材にスリット状の切れ込みを入れることによりディスクの挿通部が開口された払拭シートに比べ、ディスク挿入に伴って内方へ押し曲げられる部位の長さの調整を自在とすることが可能である。したがって、前記第１の傾斜面と前記第２の傾斜面とが接する頂部が、ガイド面のパネル側の端部から挿入方向に離れた位置にあっても、該頂部を確実に覆うことができる。
【発明の効果】
【００１５】
本発明では、ガイド部を構成する上ガイド面と下ガイド面のそれぞれに設けられた第１および第２の傾斜面どうしが接する凸状の頂部が、挿入されたディスクにより押し曲げられた払拭シートによって覆われる位置に設けられていることから、該頂部どうしの上下の間隔をディスク２枚分の厚み寸法より狭く規制しても、挿入されたディスクの周縁部が該頂部に引っ掛かることが無い。したがって、ディスクが２枚重ねられた状態での誤挿入の防止と、引っかかりの無い円滑な挿入による操作性の向上とを両立することができる。
【発明を実施するための最良の形態】
【００１６】
図１は本発明におけるディスク装置のパネル部を示す斜視図、図２は図１に示すディスク装置の挿入口の側断面図、図３は図２において挿入口にディスクを挿入した状態を示す側断面図、図４は本発明の第２の実施の形態を示す側断面図、図５は従来の実施の例を示す挿入口の側断面図、図６は図５において挿入口にディスクを挿入した状態を示す側断面図である。なお、図中の矢印Ｘ１−Ｘ２は後述するパネル１の左右方向を、矢印Ｙ１−Ｙ２は内外方向を、矢印Ｚ１−Ｚ２は上下方向を示す。また、中心線Ｉ−Ｉは後述する挿入口２のＺ1−Ｚ２方向における中心を示している。
【００１７】
図１に示すディスク装置は、車載用の電子機器であり、ＣＤやＤＶＤなどのディスク３０に記録された情報を再生できるディスク駆動装置４１が本体シャーシ４０に内蔵され、この本体シャーシ４０の前部にパネル１が設置された構成となっている。そして、本体シャーシ４０が車室内に設けられたインストゥルメントパネルに開口する電子機器収納穴に埋設され、パネル１が車室内側に露出した状態で車両に設置されるものである。
【００１８】
図１に示すパネル１は、Ｙ２方向から見て略長方形状の箱体であり、主にＡＢＳ（アクリルニトリル・ブタジエン・スチレン）などの合成樹脂によって形成されている。このパネル１には、ディスク駆動装置４１に対しディスク３０を挿入または排出するための挿入口２と、パネル１の内側に配設されたＬＣＤ（液晶表示装置）４２の表示部を露出する表示窓４が開口されている。また、パネル１の内側にはボリューム素子（図示せず）が配設されており、表面に配置された操作つまみ４３により操作が可能となっている。なお、挿入口２の入口周縁には面取５が形成されていることが好ましい。
【００１９】
図１および図２に示すガイド部１０は、Ｙ２方向から見てＸ１−Ｘ２方向に幅広でディスク３０が挿通可能なガイド穴１１が開口された略長方形の枠体であり、主にＰＯＭ（摺動性エンプラ）など摺動性に優れた合成樹脂などによって形成されている。
【００２０】
図２に示すように、ガイド穴１１の上下には、上ガイド面１２と下ガイド面１３がＩ−Ｉを基準として対称の形状に形成されている。これらの上ガイド面１２および下ガイド面１３には、第１の傾斜面１４ａ、１４ｂおよび第２の傾斜面１５ａ、１５ｂが形成されている。第１の傾斜面１４ａ、１４ｂはＹ２方向に向かうに従って互いに近づく方向に傾斜し、第２の傾斜面１５ａ、１５ｂはパネル２から離れた端部側からＹ１方向に向かうに従って互いに近づく方向に傾斜している。そして、第１の傾斜面１４ａ、１４ｂおよび第２の傾斜面１５ａ、１５ｂは、それぞれが最もＩ−Ｉに接近した頂部１６、１７にて連接されている。この第１の傾斜面１４ａ、１４ｂの面上または頂部１６、１７のいずれかの部位には、ガイド部１０を射出成形する金型を雄型と雌型に分割するためのパーティングラインが形成されている。なお、頂部１６、１７のＺ１−Ｚ２方向の間隔を示す上下幅Ａは、ディスク３０を２枚重ねたときの厚み寸法よりも狭く、且つ１枚のディスク３０に後述する払拭シート２０の厚み分を加えた寸法よりも広く設定されている。また、第１の傾斜面１４ａ、１４ｂおよび第２の傾斜面１５ａ、１５ｂそれぞれの表面は、挿入されたディスク３０をガイドする目的から、凹凸の無い平滑面であることが好ましい。
【００２１】
図１および図２に示す払拭シート２０は、フェルト素材や不織布などの布材により形成されており、固定部２３、２４と適度な柔軟性と弾力性を持つ屈曲部２５、２６とから構成されている。なお、この固定部２３、２４には、組立性を向上させる目的として適度な固さを確保するために塩ビなどの固い薄厚のシート材を別途貼り付けても良い。払拭シート２０は、挿入口２に対してＩ−Ｉよりも上側を覆う上部シート２１と、下側を覆う下部シート２２の２つのシートにより構成されている。なお、この２つのシートを形成するために、１枚の払拭シートのＸ１−Ｘ２方向にスリット状の切れ込みを入れることによって、上部シート２１と下部シート２２とを一体で形成しても良い。しかし、上部シート２１と下部シート２２とは、屈曲部２５、２６の長さを自在に設定できる利点が得られることを考慮して、図２に示すようにそれぞれが個別に分離して形成されていることが好ましい。
【００２２】
図１および図２に示すように、ガイド部１０は、パネル１の挿入口２の裏面部３に、取付ネジ４５などの係止手段によって設置されている。このとき、払拭シート２０は、固定部２３、２４が裏面部３とガイド部１０との間に挟まれることにより固定されている。また、Ｚ１−Ｚ２方向において挿入口２の中心と、ガイド部１０の中心とはＩ−Ｉ上にて一致している。
【００２３】
なお、図２では上部シート２１と下部シート２２それぞれの先端部が、共にＩ−Ｉからわずかに離れた状態で設置されているが、挿入口２における防塵を目的として該先端部が互いに接触あるいは前後に重なり合って、互いに隙間無く設置されていても良い。
【００２４】
次にディスク３０の挿入および排出動作について説明する。
【００２５】
図３は、ディスク３０が、Ｚ１−Ｚ２方向においてディスク３０の厚み中心と、Ｉ−Ｉとが一致した位置において、パネル１に対し略垂直の向きで挿入された状態を示す。この状態において、上部シート２１と下部シート２２は、それぞれの屈曲部２５、２６がディスク３０の周縁部３１により押動されることにより、第１の傾斜面１４ａ、１４ｂに倣い根元からＹ２方向に向けて押し曲げられ、頂部１６、１７を覆う。したがって、ディスク３０の挿入にあたり、その周縁部３１が第１の傾斜面１４ａ、１４ｂおよび頂部１６、１７のいずれの部位にも直接に当接することは無く、たとえパーティングラインの部位がわずかに段差を有する形状となっていても、周縁部３１が引っ掛かることは無い。
【００２６】
また、図２に示すディスク３２、３３のように、挿入口２から上下に離れた位置からＩ−Ｉに向かって斜めに傾けて挿入されるなど、パネル１に対し垂直以外の方向から挿入されたときには、第２の傾斜面１５ａ、１５ｂに倣って挿入される。したがって、ディスクが２枚重ねられた状態での誤挿入を防ぐために、上下幅Ａの寸法をディスク２枚分の厚み寸法よりも狭く設定しても、該ディスクの挿入および案内が円滑に行われる。なお、このときもディスク周縁部３４、３５が、払拭シート２０によって覆われた第１の傾斜面１４ａ、１４ｂおよび頂部１６、１７と直接に当接することは無い。すなわち、ディスクの周縁部３１（３４、３５）は、挿入されるディスクの傾きの有無に係わらず、上ガイド面１２あるいは下ガイド面１３のいずれの部位にも引っ掛かることがない。
【００２７】
したがって挿入時において、ディスク３０の周縁部３１はガイド部１０のいずれの部位にも引っ掛かることがない円滑な挿入動作が可能となり、さらに、ディスク３０が２枚重ねられた状態による誤挿入の防止とを両立することができる。
【００２８】
また、ディスク駆動装置４１から排出されたディスク３０は、第２の傾斜面１５ａ、１５ｂによってディスク３０の厚み中心とＩ−Ｉとが一致する方向に案内される。したがって排出時においても、ディスク３０の周縁部３１はガイド部１０のいずれの部位にも引っ掛かることがない円滑な排出動作が可能となる。
【００２９】
次に、本発明の他の実施の形態について説明する。なお、図４にて示す第２の実施の形態は、前記第１の実施の形態におけるガイド部１０の変形例である。そのためガイド部１０以外の構成に関しては第１の実施の形態と同様であることから、同一の符号を付して詳細な説明は省略する。
【００３０】
図４に示す第２の実施の形態では、ガイド部１０の上ガイド面１２と下ガイド面１３の形状において、第１の傾斜面１４ａ、１４ｂと第２の傾斜面１５ａ、１５ｂとが接する頂部の形状が、平坦部５０、５１にて示すような、Ｙ１−Ｙ２方向に対し略平行な平面となっている。このように、頂部の形状を鋭利に尖った形状とせず、わずかでも平坦な形状とすることにより、該頂部および金型側の当該部位の強度を高めることが可能となる。
【図面の簡単な説明】
【００３１】
【図１】本発明におけるディスク装置のパネル部を示す斜視図。
【図２】図１に示すディスク装置の挿入口の側断面図。
【図３】図２において挿入口にディスクを挿入した状態を示す側断面図。
【図４】本発明の第２の実施の形態を示す側断面図。
【図５】従来の実施の例を示す挿入口の側断面図。
【図６】図５において挿入口にディスクを挿入した状態を示す側断面図。
【符号の説明】
【００３２】
１                  パネル
２                  挿入口
１０                ガイド部
１１                ガイド穴
１２                上ガイド面
１３                下ガイド面
１４ａ、１４ｂ      第１の傾斜面
１５ａ、１５ｂ      第２の傾斜面
１６、１７          頂部
２０                払拭シート
２１                上部シート
２２                下部シート
２５、２６          屈曲部
３０                ディスク
３１                周縁部
４１                ディスク駆動装置
【図１】
2006338713.tif 000003
【図２】
2006338713.tif 000004
【図３】
2006338713.tif 000005
【図４】
2006338713.tif 000006
【図５】
2006338713.tif 000007
【図６】
2006338713.tif 000008